【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
第１の身体領域内部の圧力に対応するためのインプラントであって、
流路を備え、前記第１の身体領域と流体的に相互接続するのに適合された管と、
前記流路内に配置されたＭＥＭＳ流量モジュールと、
を備え、
前記ＭＥＭＳ流量モジュールは、
第１のバッフルを含む流量調節器と、
第１の流れポートを含む第１のプレートと、
を備え、
前記第１のバッフルは、前記第１の流れポートと位置合わせされており、前記第１のバッフルは、前記ＭＥＭＳ流量モジュールの両端の差圧変化に応じて前記第１のプレートから前記第１のバッフルまでの間隔の大きさを変化させるように前記第１のプレートに対して移動可能であることを特徴とするインプラント。
【請求項２】
前記第１のバッフルを前記第１のプレートと移動可能に相互接続する少なくとも１つのばねをさらに備えることを特徴とする、請求項１に記載のインプラント。
【請求項３】
前記第１のバッフルと前記第１のプレートとの間の空間によって定められる第１の流れチャネルをさらに備え、前記第１の流れポートを通って前記ＭＥＭＳ流量モジュールに入る前記流れの少なくとも一部は、前記ＭＥＭＳ流量モジュールから出て行く前に、前記第１の流れチャネルを通過することを特徴とする、請求項１に記載のインプラント。
【請求項４】
前記第１のバッフルは、前記流れが前記ＭＥＭＳ流量モジュールから出て行く前に、前記第１の流れポートを通って前記ＭＥＭＳ流量モジュールに入る前記流れの方向を変えるように配置されることを特徴とする、請求項１に記載のインプラント。
【請求項５】
前記第１の流れポートから離れる方向への前記第１のバッフルの最大移動量を制限するための手段をさらに備えることを特徴とする、請求項１に記載のインプラント。
【請求項６】
前記第１のバッフルと前記第１のプレートとを移動可能に相互接続する少なくとも１つのばねと、
第２の流れポートを備え、前記第１のバッフルから離れた第２のプレートであって、前記第１のバッフルが前記第１のプレートと前記第２のプレートとの間に配置されており、前記第１の流れポートを通って前記ＭＥＭＳ流量モジュールに入る前記流れの少なくとも一部が前記第２の流れポートを通って前記ＭＥＭＳ流量モジュールから出て行く、第２のプレートと、
前記第１のプレートと前記第２のプレートとを相互接続する環状支持体と、
をさらに備え、
前記第１のプレート、前記第２のプレート、および前記環状支持体は、共同で密閉空間を定めることを特徴とする、請求項１に記載のインプラント。
【請求項７】
前記第２のプレートは、前記第１のバッフルと位置合わせされた少なくとも１つの過圧止めを備えることを特徴とする、請求項６に記載のインプラント。
【請求項８】
前記第１の身体領域は、眼の前眼房であることを特徴とする、請求項１に記載のインプラント。
【請求項９】
第１のハウジングと、
前記第１のハウジング内に少なくとも一部が配置され、第１の流路を備えた第２のハウジングと、
前記第１の流路を通るすべての流れが中を通って誘導されるように前記第２のハウジングに取り付けられたＭＥＭＳフィルタ要素と、
を備えることを特徴とするフィルタ・アセンブリ。
【請求項１０】
前記第１のハウジングは、第１の端部および第２の端部、並びに、前記第１の端部と前記第２の端部との間に延びる開口部を備え、前記第２のハウジングは、前記開口部内に配置されることを特徴とする、請求項９に記載のフィルタ・アセンブリ。
【請求項１１】
前記ＭＥＭＳフィルタ要素は、前記第２のハウジング内の奥まった所に置かれることを特徴とする、請求項９に記載のフィルタ・アセンブリ。
【請求項１２】
前記第２のハウジングは、第１の端部と第２の端部とを備え、前記第１の流路は、前記第１の端部と前記第２の端部との間に延び、前記ＭＥＭＳフィルタ要素は、前記第２のハウジング内の前記第１の端部と前記第２の端部との間のどこかに配置されることを特徴とする、請求項９に記載のフィルタ・アセンブリ。
【請求項１３】
前記第２のハウジングは、第１の端部と第２の端部とを備え、前記第１の流路は、前記第１の端部と前記第２の端部との間に延び、前記ＭＥＭＳフィルタ要素は、前記第２のハウジングの前記第１の端部に配置されることを特徴とする、請求項９に記載のフィルタ・アセンブリ。
【請求項１４】
前記第１のハウジング内に少なくとも一部が配置された第３のハウジングをさらに備え、前記第３のハウジングは、第２の流路を備え、前記ＭＥＭＳフィルタ要素は、前記第２のハウジングと前記第３のハウジングとの間に、したがって前記第１の流路と前記第２の流路との間に挟まれることを特徴とする、請求項１３に記載のフィルタ・アセンブリ。
【請求項１５】
前記フィルタ・アセンブリは、インプラントであることを特徴とする、請求項９に記載のフィルタ・アセンブリ。
【請求項１６】
ＭＥＭＳ流量モジュールであって、
第１の流れポートと、
前記第１の流れポートを通って前記ＭＥＭＳ流量モジュールに入る流れの方向に対応する軸線に沿って移動可能な調整要素と、
を備え、
前記調整要素の位置は、前記第１の流れポートを通って前記ＭＥＭＳ流量モジュールに入る前記流れによって前記調整要素に及ぼされる圧力に応じて決まり、前記ＭＥＭＳ流量モジュールから出て行く前記流れの流量は、前記調整要素の位置に応じて決まることを特徴とするＭＥＭＳ流量モジュール。
【請求項１７】
前記第１の流れポートを備える第１のプレートをさらに備えることを特徴とする、請求項１６に記載のＭＥＭＳ流量モジュール。
【請求項１８】
前記調整要素を前記第１のプレートと移動可能に相互接続する少なくとも１つのばねをさらに備えることを特徴とする、請求項１７に記載のＭＥＭＳ流量モジュール。
【請求項１９】
前記調整要素と前記第１のプレートとの間の空間によって定められる第１の流れチャネルをさらに備え、前記第１の流れポートを通って前記ＭＥＭＳ流量モジュールに入る前記流れの少なくとも一部は、前記ＭＥＭＳ流量モジュールから出て行く前に、前記第１の流れチャネルを通過することを特徴とする、請求項１７に記載のＭＥＭＳ流量モジュール。
【請求項２０】
前記調整要素は、前記流れが前記ＭＥＭＳ流量モジュールから出て行く前に、前記第１の流れポートを通って前記ＭＥＭＳ流量モジュールに入る前記流れの方向を変えるように配置されることを特徴とする、請求項１６に記載のＭＥＭＳ流量モジュール。
【請求項２１】
前記第１の流れポートから離れる方向への前記調整要素の最大移動量を制限するための手段をさらに備えることを特徴とする、請求項１６に記載のＭＥＭＳ流量モジュール。
【請求項２２】
前記第１の流れポートを備える第１のプレートと、
前記調整要素と前記第１のプレートとを移動可能に相互接続する少なくとも１つのばねと、
第２の流れポートを備え、前記調整要素から離れた第２のプレートであって、前記調整要素が前記第１のプレートと前記第２のプレートとの間に配置されており、前記第１の流れポートを通って前記ＭＥＭＳ流量モジュールに入る前記流れの少なくとも一部が前記第２の流れポートを通って前記ＭＥＭＳ流量モジュールから出て行く、第２のプレートと、
前記第１のプレートと前記第２のプレートとを相互接続する環状支持体と、
をさらに備え、
前記第１のプレート、前記第２のプレート、および前記環状支持体は、共同で密閉空間を定めることを特徴とする、請求項１６に記載のＭＥＭＳ流量モジュール。
【請求項２３】
前記第２のプレートは、前記調整要素と位置合わせされた少なくとも１つの過圧止めを備えることを特徴とする、請求項２２に記載のＭＥＭＳ流量モジュール。
【請求項２４】
通路を備えたインプラントのハウジングと、
前記通路に配置された流量アセンブリと、
を備え、前記流量アセンブリは、微細加工された装置と第１のハウジングとを備え、前記第１のハウジングは、第１の通路を備え、前記通路を通る流れが、前記微細加工された装置を通って誘導されることを特徴とするインプラント。
【請求項２５】
前記微細加工された装置は、前記第１のハウジング内に配置されることを特徴とする、請求項２４に記載のインプラント。
【請求項２６】
前記微細加工された装置は、前記第１のハウジングの第１の開放端に取り付けられることを特徴とする、請求項２４に記載のインプラント。
【請求項２７】
前記流量アセンブリは、少なくとも一部が前記第１のハウジング内に配置された第２のハウジングをさらに備え、前記微細加工された装置の位置が、前記第２のハウジングに対して固定されており、前記第１のハウジングは、前記微細加工された装置の周囲に配置されることを特徴とする、請求項２４に記載のインプラント。
【請求項２８】
前記微細加工された装置は、前記第２のハウジン内に配置されることを特徴とする、請求項２７に記載のインプラント。
【請求項２９】
前記微細加工された装置は、前記第２のハウジンの第１の開放端と接続され、前記第１の開放端は、前記第１のハウジング内に配置されることを特徴とする、請求項２７に記載のインプラント。
【請求項３０】
前記流量アセンブリは、第２のハウジングと第３のハウジングとをさらに備え、前記第２のハウジングおよび前記第３のハウジングは、前記微細加工された装置が前記第２のハウジングと前記第３のハウジングとの間に配置され且つその各々と接した状態で、端部同士が接した位置関係に配置され、前記第２のハウジングおよび前記第３のハウジングの各々は、前記第１のハウジングが前記微細加工されたフィルタ要素の周囲に配置されるように、少なくとも一部が前記第１のハウジング内に配置されることを特徴とする、請求項２４に記載のインプラント。
【請求項３１】
前記インプラントは、眼の内部の眼圧を解放するのに適合されていることを特徴とする、請求項２４に記載のインプラント。